Podtech/llm-jp-corpus-v4-ja_patent huggingface dataset:
【手続補正書】
【提出日】平成17年8月21日(2005.8.21)
【手続補正１】
【補正対象書類名】特許請求の範囲
【補正対象項目名】全文
【補正方法】変更
【補正の内容】
【特許請求の範囲】
【請求項１】
「スリッパ」などの底板を中空にして、歩く動作が「ポンプ」作用となり、空気圧を作り出す。その空気圧で、底板の土踏まず部分及び連結する「スリッパ」上覆を表裏を縫う形態の「ゴムチューブ」を膨らませて足を空気圧で包み、不安定感を解消し、「ゴムチューブ」の末端は揃えた両足が向き合う側の上覆の外に開口し、足を寄せて操作する排気用突起を装着した機構。
【請求項２】
上覆の「ゴムチューブ」の末端に、自動弁、排気用突起を装着する位置は、両足が向き合う内側の相対する位置とする「スリッパ」を脱ぐ時、両足を揃えて互いの排気用突起を押しあい同時に空気を抜く為で、排気用突起の位置は相対する位置でならなければならない。
【手続補正２】
【補正対象書類名】明細書
【補正対象項目名】０００４
【補正方法】変更
【補正の内容】
【０００４】    柔軟な底板は中空にし「エアータンク」とする。「エアータンク」を「Ｖ字バネ」で挟んで補強し「エアータンク」の伸縮力を増強する「Ｖ字バネ」は土踏まず部分を少し「カット」して、空気圧が土踏まずに伝わり易くする。空気圧は「エアータンク」から直結する「ゴムチューブ」に伝わり、「ゴムチューブ」は「スリッパ」の上覆を表裏に縫って、外側に出る。位置は両足の揃った時、相対する所で末端に自動弁、排気用突起を装着する。自動弁は圧力を一定にするためで、排気用突起は「スリッパ」を脱ぐ時に押して空気圧を除去するためのものである。
【手続補正３】
【補正対象書類名】明細書
【補正対象項目名】０００６
【補正方法】変更
【補正の内容】
【０００６】    歩くという必然的な動作で、中空底板「エアータンク」を伸縮し、「ポンプ」作用で作り出された空気圧で、底板の土踏まず部及び連結する「ゴムチューブ」を膨らませて圧力で足を包んで不安定感を解消する。「ゴムチューブ」末端の排気用突起は「スリッパ」を脱ぐ時、両足を揃えて寄せ、左右突起を同時に押し合って空気を抜き脱ぎ易くする。従って脱いだ状態も乱雑にならない。突起に弱い磁石を装着すれば、更に脱いだ後が揃え易くなる。
【手続補正４】
【補正対象書類名】明細書
【補正対象項目名】０００７
【補正方法】変更
【補正の内容】
【０００７】図面は「ゴムチューブ」を使用したもの。
上覆を縫う形態の「ゴムチューブ」は「ゴムチューブ」のたるみを少なくして履き易くするためである。
【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
記録データを含むフレームと、複数のフレームから成る第２のデータブロックと、複数の第２のデータブロックから成る第１のデータブロックと、を生成するディジタル信号生成方法であって、
第１のデータブロックの境界に位置するフレームに同期信号として第１の同期信号が付加され、第２のデータブロックの境界であって第１のデータブロックの境界ではない位置のフレームに同期信号として第２の同期信号が付加され、
第１と第２の同期信号のビットパターンの反転回数がそれぞれ異なることを特徴とするディジタル信号の生成方法。
【請求項２】
請求項１に記載のディジタル信号の生成方法において、
前記第１のデータブロックを構成する第２のデータブロックのうち先頭ｘ個の第２のデータブロック（ｘは正の整数で１≦ｘ≦（第１のデータブロックを構成する第２のデータブロック数））に付加されている各第１の同期信号はそれぞれビットパターンの符号間距離が２以上異なるｘ種類の同期信号であることを特徴とするディジタル信号の生成方法。
【請求項３】
請求項１に記載のディジタル信号の生成方法において、
前記第１のデータブロックを構成する第２のデータブロックのうち先頭ｘ個の第２のデータブロック（ｘは正の整数で１≦ｘ≦（第１のデータブロックを構成する第２のデータブロック数））に付加されている各第１の同期信号はそれぞれビットパターンの反転回数が異なるｘ種類の同期信号であることを特徴とするディジタル信号の生成方法。
【請求項４】
記録データを含むフレームと、複数のフレームから成る第２のデータブロックと、複数の第２のデータブロックから成る第１のデータブロックと、を有し、
第１のデータブロックの境界に位置するフレームに同期信号として第１の同期信号が付加され、第２のデータブロックの境界であって第１のデータブロックの境界ではない位置のフレームに同期信号として、前記第１の同期信号とはビットパターンの反転回数が異なる第２の同期信号が付加されたディジタル信号が記録された記録媒体に対して、
第１の同期信号の検出で第１のデータブロックの境界の特定を行い、第２の同期信号の検出で第２のデータブロックの境界の特定を行い、記録情報の再生を行うことを特徴とするディジタル信号の再生方法。
【請求項５】
記録データを含むフレームと、複数のフレームから成る第２のデータブロックと、複数の第２のデータブロックから成る第１のデータブロックと、を有し、
第１のデータブロックの境界に位置するフレームに同期信号として第１の同期信号が付加され、第２のデータブロックの境界であって第１のデータブロックの境界ではない位置のフレームに同期信号として第２の同期信号が付加され、
第１と第２の同期信号のビットパターンの反転回数がそれぞれ異なるディジタル信号が記録されたことを特徴とするディスク状情報記録媒体。
【請求項６】
記録データを含むフレームと、複数のフレームから成る第２のデータブロックと、複数の第２のデータブロックから成る第１のデータブロックと、を有し、
第１のデータブロックの境界に位置するフレームに同期信号として第１の同期信号が付加され、第２のデータブロックの境界であって第１のデータブロックの境界ではない位置のフレームに同期信号として、前記第１の同期信号とはビットパターンの反転回数が異なる第２の同期信号が付加されたディジタル信号が記録されたディスク状情報記録媒体であって、
該ディスク状情報記録媒体上のプリピット間の信号記録領域にディジタル信号を記録したことを特徴とするディスク状情報記録媒体。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
情報記憶装置であって、
メモリ素子の抵抗クロスポイントアレイと、および
前記メモリ素子のグループに結合され、それらによって共有されている回り込み電流阻止デバイスとを含む、情報記憶装置。
【請求項２】
前記阻止デバイスが、ダイオードを含む、請求項１の情報記憶装置。
【請求項３】
前記ダイオードが、反対極性の第１および第２の半導体層を含み、前記半導体層の各々が、前記グループ中の前記メモリ素子のすべてに渡って広がっている、請求項２の情報記憶装置。
【請求項４】
前記阻止デバイスがトランジスタを含む、請求項１の情報記憶装置。
【請求項５】
前記メモリ素子が磁気トンネル接合である、請求項１の情報記憶装置。
【請求項６】
前記阻止デバイス上に導電層を更に含み、前記グループの前記メモリ素子が前記導電層の上にある、請求項１の情報記憶装置。
【請求項７】
前記グループの前記メモリ素子が、前記阻止デバイスと直接接触する、請求項１の情報記憶装置。
【請求項８】
前記グループの前記メモリ素子が、前記阻止デバイスと直接接触する共有固定層と、前記共有固定層の上の共有トンネル障壁と、前記共有トンネル障壁上の個々の自由層とを含む、請求項７の情報記憶装置。
【請求項９】
メモリ素子の追加のグループとそれらの対応する阻止デバイスが、前記情報記憶装置の少なくとも１つの追加の面上に形成され、前記阻止デバイスがアモルファス材料から作成される、請求項１の情報記憶装置。
【請求項１０】
ＭＲＡＭデバイスであって、
磁気トンネル接合のアレイと、および
前記磁気トンネル接合に接続され、それぞれが磁気トンネル接合のグループによって共有されている、複数の回り込み電流阻止デバイスとを含む、ＭＲＡＭデバイス。
【請求項１１】
前記阻止デバイスとメモリ素子との中間にある導電層を更に含む、請求項１０のＭＲＡＭデバイス。
【請求項１２】
メモリ素子が前記阻止デバイスと直接接触する、請求項１０のＭＲＡＭデバイス。
【請求項１３】
前記メモリ素子のグループが、それらの関連する阻止デバイスと直接接触する共有固定層と、前記共有固定層の上の共有トンネル障壁と、前記共有トンネル障壁上の個々の自由層とを含む、請求項１２のＭＲＡＭデバイス。
【請求項１４】
前記阻止デバイスが、メモリ素子と磁界強化材料でクラッディングされたトレースとの間に形成される、請求項１０のＭＲＡＭデバイス。
【請求項１５】
前記阻止デバイスに結合され、書込み動作中に選択されたメモリ素子の抵抗状態を判定するためのセンスアンプを更に含む、請求項１０のＭＲＡＭデバイス。
【請求項１６】
前記アレイのためのワード線とビット線を更に含み、選択されたメモリ素子における読出し動作中、動作電位が選択されたワード線に印加され、前記センスアンプが選択されたビット線に基準電位を印加することにより、前記共有された阻止デバイスと前記選択されたメモリ素子とを介して流れる電流を検知し、前記センスアンプが前記選択されたメモリ素子の抵抗状態を判定するために前記電流を検知する、請求項１５のＭＲＡＭデバイス。
【請求項１７】
前記アレイのためのワード線とビット線を更に含み、読出し動作中、電圧が選択されたビット線に印加され、前記センスアンプが前記ワード線に接続され、前記選択されたビット線に接続された前記阻止デバイスのアノードが同じ電位であるようにされる、請求項１５のＭＲＡＭデバイス。
【請求項１８】
前記阻止デバイスがダイオードを含む、請求項１０のＭＲＡＭデバイス。
【請求項１９】
前記阻止デバイスがトランジスタを含む、請求項１０のＭＲＡＭデバイス。
【請求項２０】
メモリデバイスであって、
メモリ素子の抵抗クロスポイントアレイと、および
前記アレイの選択されたメモリ素子における読出し動作中に回り込み電流を阻止するための複数の手段とを含み、
前記阻止するための各手段が、少なくとも２つのメモリ素子によって共有されている、メモリデバイス。
【手続補正２】
【補正対象書類名】明細書
【補正対象項目名】００２２
【補正方法】変更
【補正の内容】
【００２２】
各ダイオード２２は、ｎ型シリコン層２２ａとｐ型シリコン層２２ｂを有する。共有される各々のダイオード２２は、それが対応するグループ中の全てのメモリ素子１２にまたがっている。
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
前記オーディオデータを有するオーディオタイトルセット（ＡＴＳ）と、前記オーディオデータに関するスチルピクチャデータを有するスチルピクチャセット（ＳＰＳ）とを有し、
前記ＳＰＳは複数のスチルピクチャオブジェクト（ＳＰＯＢ）と、前記スチルピクチャオブジェクト（ＳＰＯＢ）を再生するためのスタートアドレスマップを有するスチルピクチャ・インフォメーション（ＳＰＳＩ；ＡＳＶＳＩともいう）とを含み、
前記スチルピクチャオブジェクト（ＳＰＯＢ）は、
スチルピクチャのボタン操作用ハイライトデータからなるハイライトパック及びボタン表示用サブピクチャデータからなるサブピクチャパックを実質的に有さず、スチルピクチャパックを有する第１のスチルピクチャオブジェクト（ＳＰＯＢ）と、
前記ハイライトパック及びサブピクチャパックとスチルピクチャパックを有する第２のスチルピクチャオブジェクト（ＳＰＯＢ）の２種類で構成されており、
前記スチルピクチャ・インフォメーション（ＳＰＳＩ）は前記第２のスチルピクチャオブジェクト（ＳＰＯＢ）のサブピクチャデータをデコードするためのパレット情報（ＡＳＶＯＢＳサブピクチャパレット）を有しており、
さらに、前記オーディオタイトルセット（ＡＴＳ）が前記スチルピクチャデータをページ制御する制御情報であって時間制御モード（スライドショーモード）とユーザページめくり制御モード（ブラウザブルモード）を識別するためのモードデータ（ディスプレイタイミングモード）を有する制御情報（ＳＰＣＩＴ）を含むオーディオタイトルセット・インフォメーション（ＡＴＳＩ）を有しているデータ構造であって前記ハイライトパックのハイライトデータは前記サブピクチャデータにより表示される表示ボタンの操作に関わるカラー情報テーブルを含むデータ構造にフォーマット化するステップと、
からなるオーディオ信号のエンコード方法。
【請求項２】
請求項１に記載のオーディオ信号のエンコード方法によりエンコードされて生成されたデータのデコード方法であって、
前記スチルピクチャ・インフォメーション（ＳＰＳＩ；ＡＳＶＳＩともいう）に配置される前記第２のスチルピクチャオブジェクト（ＳＰＯＢ）のサプピクチャを復元するためのパレット情報（ＡＳＶＯＢＳサブピクチャパレット）とをデコードする第１のデコードのステップと、
前記第２のスチルピクチャオブジェクト（ＳＰＯＢ）に配置されるボタン用ハイライトパック及びサブピクチャパックとスチルピクチャパックからカラー情報テーブルを含むハイライトデータ、サブピクチャデータ及びスチルピクチャデータをそれぞれデコードする第２のデコードのステップと、
少なくとも前記第１のデコードのステップから取り出されたパレット情報（ＡＳＶＯＢＳサブピクチャパレット）に基づいて、前記第２のデコードのステップで取り出されたサブピクチャデータを復元してハイライトデータと共に出力するステップと、
ボタン操作時に前記第２のデコードのステップから取り出されたカラー情報テーブルに基づいて表示ボタンを制御して出力するステップと、
からなるデコード方法。
【手続補正２】
【補正対象書類名】明細書
【補正対象項目名】０００７
【補正方法】変更
【補正の内容】
【０００７】
【課題を解決するための手段】
本発明は上記目的を達成するために、以下の１）〜２）に記載の手段よりなる。
すなわち、
【手続補正３】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
前記オーディオデータを有するオーディオタイトルセット（ＡＴＳ）と、前記オーディオデータに関するスチルピクチャデータを有するスチルピクチャセット（ＳＰＳ）とを有し、
前記ＳＰＳは複数のスチルピクチャオブジェクト（ＳＰＯＢ）と、前記スチルピクチャオブジェクト（ＳＰＯＢ）を再生するためのスタートアドレスマップを有するスチルピクチャ・インフォメーション（ＳＰＳＩ；ＡＳＶＳＩともいう）とを含み、
前記スチルピクチャオブジェクト（ＳＰＯＢ）は、
スチルピクチャのボタン操作用ハイライトデータからなるハイライトパック及びボタン表示用サブピクチャデータからなるサブピクチャパックを実質的に有さず、スチルピクチャパックを有する第１のスチルピクチャオブジェクト（ＳＰＯＢ）と、
前記ハイライトパック及びサブピクチャパックとスチルピクチャパックを有する第２のスチルピクチャオブジェクト（ＳＰＯＢ）の２種類で構成されており、
前記スチルピクチャ・インフォメーション（ＳＰＳＩ）は前記第２のスチルピクチャオブジェクト（ＳＰＯＢ）のサブピクチャデータをデコードするためのパレット情報（ＡＳＶＯＢＳサブピクチャパレット）を有しており、
さらに、前記オーディオタイトルセット（ＡＴＳ）が前記スチルピクチャデータをページ制御する制御情報であって時間制御モード（スライドショーモード）とユーザページめくり制御モード（ブラウザブルモード）を識別するためのモードデータ（ディスプレイタイミングモード）を有する制御情報（ＳＰＣＩＴ）を含むオーディオタイトルセット・インフォメーション（ＡＴＳＩ）を有しているデータ構造であって前記ハイライトパックのハイライトデータは前記サブピクチャデータにより表示される表示ボタンの操作に関わるカラー情報テーブルを含むデータ構造にフォーマット化するステップと、
からなるオーディオ信号のエンコード方法。
２）１）に記載のオーディオ信号のエンコード方法によりエンコードされて生成されたデータのデコード方法であって、
前記スチルピクチャ・インフォメーション（ＳＰＳＩ；ＡＳＶＳＩともいう）に配置される前記第２のスチルピクチャオブジェクト（ＳＰＯＢ）のサプピクチャを復元するためのパレット情報（ＡＳＶＯＢＳサブピクチャパレット）とをデコードする第１のデコードのステップと、
前記第２のスチルピクチャオブジェクト（ＳＰＯＢ）に配置されるボタン用ハイライトパック及びサブピクチャパックとスチルピクチャパックからカラー情報テーブルを含むハイライトデータ、サブピクチャデータ及びスチルピクチャデータをそれぞれデコードする第２のデコードのステップと、
少なくとも前記第１のデコードのステップから取り出されたパレット情報（ＡＳＶＯＢＳサブピクチャパレット）に基づいて、前記第２のデコードのステップで取り出されたサブピクチャデータを復元してハイライトデータと共に出力するステップと、
ボタン操作時に前記第２のデコードのステップから取り出されたカラー情報テーブルに基づいて表示ボタンを制御して出力するステップと、
からなるデコード方法。
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
複数のオーディオオブジェクト（ＡＯＢ）を含むオーディオタイトルセット（ＡＴＳ）と、スチルピクチャセット（ＳＰＳ）とを有し、
前記オーディオオブジェクト（ＡＯＢ）が、
実データとして前記オーディオデータを有する第１のパックのみにより構成された第１のオーディオ・セル（ＡＴＳ−Ｃ）単位で構成される第１のオーディオオブジェクト（ＡＯＢ）と、
前記第１のパック、及び実データとして前記オーディオデータに関するリアルタイムインフォメーションデータを有する第２のパックにより構成された第２のオーディオ・セル（ＡＴＳ−Ｃ）単位で構成される第２のオーディオオブジェクト（ＡＯＢ）の２種類で構成され、
さらに、前記スチルピクチャセット（ＳＰＳ）が前記オーディオデータに関するスチルピクチャデータを含む第３のパックを有し、
前記オーディオタイトルセット（ＡＴＳ）が前記複数のオーディオオブジェクト（ＡＯＢ）をその再生順に再生するための制御情報であってオーディオ・セル単位で再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）を有し、
このオーディオタイトルセット・インフォメーション（ＡＴＳＩ）が、前記スチルピクチャデータをページ制御するスチルピクチャ制御情報（ＳＰＣＩＴ）を有してなる、
データ構造にフォーマット化するステップと、
からなるオーディオ信号のエンコード方法。
【請求項２】
請求項１に記載のオーディオ信号のエンコード方法によりエンコードされて生成されたデータのデコード方法であって、
前記記録されたオーディオタイトルセット（ＡＴＳ）に配置されるオーディオタイトルセット・インフォメーション（ＡＴＳＩ）からスチルピクチャデータをページ制御するスチルピクチャ制御情報（ＳＰＣＩＴ）とオーディオオブジェクト（ＡＯＢ）の制御情報（ＡＴＳ−ＰＧＣＩＴ）をデコードする第１のデコードのステップと、
前記記録されたオーディオタイトルセット（ＡＴＳ）に配置される第１のパック、及び第２のパック、さらにスチルピクチャセット（ＳＰＳ）に配置される第３のパックからそれぞれオーディオデータ、リアルタイムインフォメーションデータ、及びスチルピクチャデータをデコードする第２のデコードのステップと、
前記第１のデコードのステップから取り出されたオーディオオブジェクト（ＡＯＢ）の制御情報（ＡＴＳ−ＰＧＣＩＴ）に基づいて、前記第２のデコードのステップで取り出されたオーディオデータとリアルタイムインフォメーションデータを、制御して出力すると共に、前記第１のデコードのステップから取り出されたスチルピクチャ制御情報（ＳＰＣＩＴ）に基づいて、前記第２のデコードのステップで取り出されたスチルピクチャデータを、制御して出力するステップと、
からなるデコード方法。
【手続補正２】
【補正対象書類名】明細書
【補正対象項目名】０００７
【補正方法】変更
【補正の内容】
【０００７】
【課題を解決するための手段】
本発明は上記目的を達成するために、以下の１）〜２）に記載の手段よりなる。
すなわち、
【手続補正３】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
複数のオーディオオブジェクト（ＡＯＢ）を含むオーディオタイトルセット（ＡＴＳ）と、スチルピクチャセット（ＳＰＳ）とを有し、
前記オーディオオブジェクト（ＡＯＢ）が、
実データとして前記オーディオデータを有する第１のパックのみにより構成された第１のオーディオ・セル（ＡＴＳ−Ｃ）単位で構成される第１のオーディオオブジェクト（ＡＯＢ）と、
前記第１のパック、及び実データとして前記オーディオデータに関するリアルタイムインフォメーションデータを有する第２のパックにより構成された第２のオーディオ・セル（ＡＴＳ−Ｃ）単位で構成される第２のオーディオオブジェクト（ＡＯＢ）の２種類で構成され、
さらに、前記スチルピクチャセット（ＳＰＳ）が前記オーディオデータに関するスチルピクチャデータを含む第３のパックを有し、
前記オーディオタイトルセット（ＡＴＳ）が前記複数のオーディオオブジェクト（ＡＯＢ）をその再生順に再生するための制御情報であってオーディオ・セル単位で再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）を有し、
このオーディオタイトルセット・インフォメーション（ＡＴＳＩ）が、前記スチルピクチャデータをページ制御するスチルピクチャ制御情報（ＳＰＣＩＴ）を有してなる、
データ構造にフォーマット化するステップと、
からなるオーディオ信号のエンコード方法。
２）１）に記載のオーディオ信号のエンコード方法によりエンコードされて生成されたデータのデコード方法であって、
前記記録されたオーディオタイトルセット（ＡＴＳ）に配置されるオーディオタイトルセット・インフォメーション（ＡＴＳＩ）からスチルピクチャデータをページ制御するスチルピクチャ制御情報（ＳＰＣＩＴ）とオーディオオブジェクト（ＡＯＢ）の制御情報（ＡＴＳ−ＰＧＣＩＴ）をデコードする第１のデコードのステップと、
前記記録されたオーディオタイトルセット（ＡＴＳ）に配置される第１のパック、及び第２のパック、さらにスチルピクチャセット（ＳＰＳ）に配置される第３のパックからそれぞれオーディオデータ、リアルタイムインフォメーションデータ、及びスチルピクチャデータをデコードする第２のデコードのステップと、
前記第１のデコードのステップから取り出されたオーディオオブジェクト（ＡＯＢ）の制御情報（ＡＴＳ−ＰＧＣＩＴ）に基づいて、前記第２のデコードのステップで取り出されたオーディオデータとリアルタイムインフォメーションデータを、制御して出力すると共に、前記第１のデコードのステップから取り出されたスチルピクチャ制御情報（ＳＰＣＩＴ）に基づいて、前記第２のデコードのステップで取り出されたスチルピクチャデータを、制御して出力するステップと、
からなるデコード方法。
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
前記オーディオデータを有するオーディオタイトルセット（ＡＴＳ）と、前記オーディオデータに関するスチルピクチャデータを有するスチルピクチャセット（ＳＰＳ）とを有し、
前記スチルピクチャセット（ＳＰＳ）が１又は複数のスチルピクチャユニット（ＳＰＵ；ＡＳＶＵともいう）からなるスチルピクチャオブジェクトセット（ＳＰＯＢＳ；ＡＳＶＯＢＳともいう）と、前記スチルピクチャオブジェクトセット（ＳＰＯＢＳ）をスチルピクチャユニット別に再生するためのスタートアドレスマップを有するスチルピクチャインフォメーション（ＳＰＳＩ；ＡＳＶＳＩともいう）とを有し、
前記スチルピクチャオブジェクトセット（ＳＰＯＢＳ）を構成するスチルピクチャユニットが、それぞれ前記スチルピクチャデータを含む１又は複数のパック（ＳＰＣＴパック）を有しており、
さらに、前記オーディオタイトルセット（ＡＴＳ）が前記スチルピクチャデータを所定のディスプレイモードに従ってページ制御する制御情報であって前記スチルピクチャデータの所定のディスプレイモードを示すディスプレイモード情報（ＡＳＶ−ＤＭＯＤ）を含むスチルピクチャユニット別プレイバックインフォメーション・サーチポインタ（ＡＴＳ−ＰＧ−ＡＳＶ−ＰＢＩ−ＳＲＰ）を有する制御情報（ＳＰＣＩＴ）を含むオーディオタイトルセット・インフォメーション（ＡＴＳＩ）を有するデータ構造にフォーマット化するステップと、
からなるオーディオ信号のエンコード方法。
【請求項２】
請求項１に記載のオーディオ信号のエンコード方法により生成されたデータのデコード方法であって、
前記記録されたオーディオタイトルセット（ＡＴＳ）に配置されるオーディオタイトルセット・インフォメーション（ＡＴＳＩ）から前記スチルピクチャデータのディスプレイモード情報（ＡＳＶ−ＤＭＯＤ）を含むスチルピクチャユニット別プレイバックインフォメーション・サーチポインタ（ＡＴＳ−ＰＧ−ＡＳＶ−ＰＢＩ−ＳＲＰ）を有する制御情報（ＳＰＣＩＴ）をデコードする第１のデコードのステップと、
前記記録されたオーディオタイトルセット（ＡＴＳ）からオーディオデータをデコードすると共に前記スチルピクチャセット（ＳＰＳ）に配置されるパックからスチルピクチャデータをデコードする第２のデコードのステップと、
少なくとも前記第１のデコードのステップから取り出されたディスプレイモード情報（ＡＳＶ−ＤＭＯＤ）に基づいて、前記第２のデコードのステップで取り出されたスチルピクチャデータを、単独で／または第２のデコードのステップで取り出されたオーディオデータと共にスチルピクチャユニット別に制御して出力するステップと、
からなるデコード方法。
【手続補正２】
【補正対象書類名】明細書
【補正対象項目名】０００７
【補正方法】変更
【補正の内容】
【０００７】
【課題を解決するための手段】
本発明は上記目的を達成するために、以下の１）〜２）に記載の手段よりなる。
すなわち、
【手続補正３】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
前記オーディオデータを有するオーディオタイトルセット（ＡＴＳ）と、前記オーディオデータに関するスチルピクチャデータを有するスチルピクチャセット（ＳＰＳ）とを有し、
前記スチルピクチャセット（ＳＰＳ）が１又は複数のスチルピクチャユニット（ＳＰＵ；ＡＳＶＵともいう）からなるスチルピクチャオブジェクトセット（ＳＰＯＢＳ；ＡＳＶＯＢＳともいう）と、前記スチルピクチャオブジェクトセット（ＳＰＯＢＳ）をスチルピクチャユニット別に再生するためのスタートアドレスマップを有するスチルピクチャインフォメーション（ＳＰＳＩ；ＡＳＶＳＩともいう）とを有し、
前記スチルピクチャオブジェクトセット（ＳＰＯＢＳ）を構成するスチルピクチャユニットが、それぞれ前記スチルピクチャデータを含む１又は複数のパック（ＳＰＣＴパック）を有しており、
さらに、前記オーディオタイトルセット（ＡＴＳ）が前記スチルピクチャデータを所定のディスプレイモードに従ってページ制御する制御情報であって前記スチルピクチャデータの所定のディスプレイモードを示すディスプレイモード情報（ＡＳＶ−ＤＭＯＤ）を含むスチルピクチャユニット別プレイバックインフォメーション・サーチポインタ（ＡＴＳ−ＰＧ−ＡＳＶ−ＰＢＩ−ＳＲＰ）を有する制御情報（ＳＰＣＩＴ）を含むオーディオタイトルセット・インフォメーション（ＡＴＳＩ）を有するデータ構造にフォーマット化するステップと、
からなるオーディオ信号のエンコード方法。
２）１）に記載のオーディオ信号のエンコード方法により生成されたデータのデコード方法であって、
前記記録されたオーディオタイトルセット（ＡＴＳ）に配置されるオーディオタイトルセット・インフォメーション（ＡＴＳＩ）から前記スチルピクチャデータのディスプレイモード情報（ＡＳＶ−ＤＭＯＤ）を含むスチルピクチャユニット別プレイバックインフォメーション・サーチポインタ（ＡＴＳ−ＰＧ−ＡＳＶ−ＰＢＩ−ＳＲＰ）を有する制御情報（ＳＰＣＩＴ）をデコードする第１のデコードのステップと、
前記記録されたオーディオタイトルセット（ＡＴＳ）からオーディオデータをデコードすると共に前記スチルピクチャセット（ＳＰＳ）に配置されるパックからスチルピクチャデータをデコードする第２のデコードのステップと、
少なくとも前記第１のデコードのステップから取り出されたディスプレイモード情報（ＡＳＶ−ＤＭＯＤ）に基づいて、前記第２のデコードのステップで取り出されたスチルピクチャデータを、単独で／または第２のデコードのステップで取り出されたオーディオデータと共にスチルピクチャユニット別に制御して出力するステップと、
からなるデコード方法。
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
複数のオーディオオブジェクト（ＡＯＢ）を含むオーディオタイトルセット（ＡＴＳ）と、第１のオーディオマネージャ（ＳＡＭＧ）と、第２のオーディオマネージャ（ＡＭＧ）とを有し、
前記オーディオオブジェクト（ＡＯＢ）が、
実データとして前記オーディオデータを有する第１のパックのみにより構成された第１のオーディオオブジェクト（ＡＯＢ）と、
前記第１のパック、及び実データとして前記オーディオデータに関するリアルタイムインフォメーションデータを有する第２のパックにより構成された第２のオーディオオブジェクト（ＡＯＢ）の２種類で構成され、
さらに、前記オーディオデータに関するスチルピクチャデータを含む第３のパックを有し、
前記オーディオタイトルセット（ＡＴＳ）が前記スチルピクチャデータをページ制御する制御情報（ＳＰＣＩＴ）を含むオーディオタイトルセット・インフォメーション（ＡＴＳＩ）を有し、
前記第１のオーディオマネージャ（ＳＡＭＧ）が前記オーディオタイトルセット（ＡＴＳ）の頭出しを行うためのデータが格納されたＴＯＣテーブル（ＳＡＰＰ）を有し、
前記第２のオーディオマネージャ（ＡＭＧ）が前記オーディオタイトルセット（ＡＴＳ）のオーディオタイトルをサーチするための管理情報（ＡＭＧＩ）を有してなる、
データ構造にフォーマット化するステップと、
からなるオーディオ信号のエンコード方法。
【請求項２】
請求項１に記載のオーディオ信号のエンコード方法で生成され記録された信号を再生するための再生方法であって、
前記第１、第２及び第３のパックを振り分けるステップと、
前記パックを振り分けるステップにより振り分けられた第１のパックを第１のバッファに蓄積するステップと、
前記ステップにより第１のバッファに蓄積された第１のパックに基づいてオーディオデータをデコードする第１のデコードのステップと、
前記パック振り分けのステップにより振り分けられた第２のパックを第２のバッファに蓄積するステップと、
前記ステップにより第２のバッファに蓄積された第２のパックに基づいてリアルタイムインフォメーションデータをデコードする第２のデコードのステップと、
前記パック振り分けのステップにより振り分けられた第３のパックを第３のバッファに蓄積するステップと、
前記ステップにより第３のバッファに蓄積された第３のパックに基づいてスチルピクチャデータをデコードする第３のデコードのステップと、
前記オーディオタイトルセット・インフォメーション（ＡＴＳＩ）からスチルピクチャデータをページ制御する制御情報（ＳＰＣＩＴ）をデコードする第４のデコードのステップと、前記ＴＯＣテーブルに従って前記第１、第２、または第３のデコードのステップからのデータの少なくとも１つを、前記第４のデコードのステップから取り出されたスチルピクチャデータをページ制御する制御情報（ＳＰＣＩＴ）に基づいて制御するステップと、からなる再生方法。
【手続補正２】
【補正対象書類名】明細書
【補正対象項目名】０００７
【補正方法】変更
【補正の内容】
【０００７】
【課題を解決するための手段】
本発明は上記目的を達成するために、以下の１）〜２）に記載の手段よりなる。
すなわち、
【手続補正３】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
複数のオーディオオブジェクト（ＡＯＢ）を含むオーディオタイトルセット（ＡＴＳ）と、第１のオーディオマネージャ（ＳＡＭＧ）と、第２のオーディオマネージャ（ＡＭＧ）とを有し、
前記オーディオオブジェクト（ＡＯＢ）が、
実データとして前記オーディオデータを有する第１のパックのみにより構成された第１のオーディオオブジェクト（ＡＯＢ）と、
前記第１のパック、及び実データとして前記オーディオデータに関するリアルタイムインフォメーションデータを有する第２のパックにより構成された第２のオーディオオブジェクト（ＡＯＢ）の２種類で構成され、
さらに、前記オーディオデータに関するスチルピクチャデータを含む第３のパックを有し、
前記オーディオタイトルセット（ＡＴＳ）が前記スチルピクチャデータをページ制御する制御情報（ＳＰＣＩＴ）を含むオーディオタイトルセット・インフォメーション（ＡＴＳＩ）を有し、
前記第１のオーディオマネージャ（ＳＡＭＧ）が前記オーディオタイトルセット（ＡＴＳ）の頭出しを行うためのデータが格納されたＴＯＣテーブル（ＳＡＰＰ）を有し、
前記第２のオーディオマネージャ（ＡＭＧ）が前記オーディオタイトルセット（ＡＴＳ）のオーディオタイトルをサーチするための管理情報（ＡＭＧＩ）を有してなる、
データ構造にフォーマット化するステップと、
からなるオーディオ信号のエンコード方法。
２）１）に記載のオーディオ信号のエンコード方法で生成され記録された信号を再生するための再生方法であって、
前記第１、第２及び第３のパックを振り分けるステップと、
前記パックを振り分けるステップにより振り分けられた第１のパックを第１のバッファに蓄積するステップと、
前記ステップにより第１のバッファに蓄積された第１のパックに基づいてオーディオデータをデコードする第１のデコードのステップと、
前記パック振り分けのステップにより振り分けられた第２のパックを第２のバッファに蓄積するステップと、
前記ステップにより第２のバッファに蓄積された第２のパックに基づいてリアルタイムインフォメーションデータをデコードする第２のデコードのステップと、
前記パック振り分けのステップにより振り分けられた第３のパックを第３のバッファに蓄積するステップと、
前記ステップにより第３のバッファに蓄積された第３のパックに基づいてスチルピクチャデータをデコードする第３のデコードのステップと、
前記オーディオタイトルセット・インフォメーション（ＡＴＳＩ）からスチルピクチャデータをページ制御する制御情報（ＳＰＣＩＴ）をデコードする第４のデコードのステップと、前記ＴＯＣテーブルに従って前記第１、第２、または第３のデコードのステップからのデータの少なくとも１つを、前記第４のデコードのステップから取り出されたスチルピクチャデータをページ制御する制御情報（ＳＰＣＩＴ）に基づいて制御するステップと、からなる再生方法。
【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
携帯用コンピュータ(10)に電力を供給するバッテリパック(40)の平均放電電流を低減して、前記バッテリパックが所定の温度に達しないようにするための装置であって、
前記平均放電電流がしきい値レベルを超えた場合、抑制信号(74)を発生する第１の回路(68,21)と、
前記抑制信号に応答して前記コンピュータシステムのデバイス(20,22,24,26,28,20,12)の電力需要を低減させ、該電力需要の低減によって前記平均放電電流を低減させるように構成された第２の回路(70,76,21)と
からなる装置。
【請求項２】
前記デバイスがプロセッサ(21,22)であり、前記第２の回路は、前記抑制信号に応答して前記プロセッサを減速させる、請求項１に記載の装置。
【請求項３】
前記デバイスは、ハード・ディスク・ドライブ(26)、プリンタ、ディスプレイ(12)、及び、フロッピー(R)ディスク・ドライブ(30)を含む周辺装置グループの中の１つの周辺装置である、請求項１に記載の装置。
【請求項４】
前記第１の回路および前記第２の回路がプロセッサ(21)からなる、請求項１に記載の装置。
【請求項５】
前記第２の回路は、前記抑制信号を受信するパルス幅制御器(70)を含む、請求項１〜３のうちのいずれか一項に記載の装置。
【請求項６】
前記第１の回路は、比較器およびワン・ショット・デバイス(76)を含む、請求項１、２、４および５のうちのいずれか一項に記載の装置。
【請求項７】
前記第２の回路は、前記しきい値レベルを超える前記バッテリ放電電流の超過分に比例して、デューティ・サイクルの一部の間プロセッサを停止させる、請求項２に記載の装置。
【請求項８】
しきい値レベル(72)に対するバッテリ(40)からの過剰放電電流(62)を低減する方法であって、
前記バッテリからの放電電流を測定するステップと、
測定された放電電流としきい値レベルとの差を判定するステップと、
前記測定された放電電流が基準信号を超えた場合、抑制信号(74)をアクティブにするステップと、
前記抑制信号がアクティブになった場合、デューティ・サイクルの一部(L1)の間、前記バッテリから電力供給を受けるプロセッサ(22)を減速させるステップと
からなる方法。
【請求項９】
前記測定された放電電流に関連してデューティ・サイクルＴを制御するステップを更に含む、請求項８に記載の方法。
【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】プログラマブルコントローラおよび高炉スケジュール設定データの合理性チェック方法
【手続補正２】
【補正対象書類名】明細書
【補正対象項目名】特許請求の範囲
【補正方法】変更
【補正の内容】
【特許請求の範囲】
【請求項１】  高炉設備用監視操作装置で設定された高炉スケジュールデータの合理性チェック方法において、
前記監視操作装置で設定されたデータをプログラマブルコントローラ内の固定メモリー領域である受信領域へ送信し、そこで合理性チェックの必要性を判断し、必要と判断された場合、受信データをワークメモリー領域に格納し、該ワークメモリー領域において該データの有効性を判別する合理性チェックを行うことを特徴とする高炉スケジュール設定データの合理性チェック方法。
【請求項２】  オペレータから高炉スケジュールデータを設定されると、監視操作装置がプログラマブルコントローラ内の固定メモリー領域である受信領域へ送信し、
該プログラマブルコントローラが、データの受信があるかどうかを常時監視し、データ受信があった場合、そのキーデータから最終格納先レジスタＮｏ．の演算を行い、それが設備で定められた合理性チェック用のルール１の合理性チェックを行なうレジスタの範囲に入っているかを判断し、該範囲に入っていれば、合理性チェックに関連する最終格納先制御レジスタから合理性チェック用ワークレジスタへデータ値をコピーし、また前記監視操作装置から受信したデータを前記コピーされたデータの並びに対応するワークメモリへ書き込みを行ない、前記設定されたデータが妥当であるかを前記ルール１に従って前記ワークメモリ内のレジスタを用い合理性チェックを行なうことを特徴とする高炉スケジュール設定データの合理性チェック方法。
【請求項３】  前記ルール１による合理性チェックにより整合性が取れていると判断された場合、前記ワークメモリのデータを最終格納先へ転送し、また、ルール１による合理性チェックにより整合性が取れていないと判断された場合、データ設定は無効と判断し、最終格納先レジスタのデータ値を変化させず、プログラマブルコントローラ内では前記操作装置からの設定操作は無かったものとみなすことを特徴とする請求項２記載の高炉スケジュール設定データの合理性チェック方法。
【請求項４】  前記ルール１による合理性チェックにより整合性が取れていないと判断された場合、オペレータに対して整合性が取れていないという設定エラーのガイダンスを出力することを特徴とする請求項３記載の高炉スケジュール設定データの合理性チェック方法。
【請求項５】  前記ルール１の合理性チェックを行なうレジスタ範囲に入っていない場合、別のデータ群を使用したルールであるルール２のレジスタ範囲であるかを判断し、該範囲内に入っていれば、前記合理性チェック１で行った手順にしたがって合理性チェック２を行なうことを特徴とする請求項４記載の高炉スケジュール設定データの合理性チェック方法。
【請求項６】  前記ルール２の合理性チェックを行なうレジスタ範囲に入っていない場合、別のデータ群を使用したルールであるルール３のレジスタ範囲であるかを判断し、以下、同様に別の合理性チェックを繰り返し、最終ルールのレジスタ範囲のチェックにも入っていない場合、全合理性チェックルールの対象外であるとして、そのままキーコードから判断し、最終格納先レジスタへ転送を行なうことを特徴とする請求項５記載の高炉スケジュール設定データの合理性チェック方法。
【請求項７】
請求項１ないし６のいずれかに記載の高炉スケジュール設定データの合理性チェック方法を適用したことを特徴とするプログラマブルコントローラ。
【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
情報をバックアップするシステムであって、
一次バックアップ装置及び冗長バックアップ装置に、バックアップされるデータを送信するように構成されたロジックと、
前記一次バックアップ装置の書込み装置内に収納された書込み媒体に、前記送信データを書込むように構成されたロジックと、
前記一次バックアップ装置の前記書込み媒体への前記送信データの書込みと同時に、前記冗長バックアップ装置のデータ記憶装置に前記送信データをキャッシュし、これによって、前記一次バックアップ装置の前記書込み媒体に書き込まれた全てのデータが、前記冗長バックアップ装置の前記データ記憶装置にキャッシュされるようにするよう構成されたロジックと、
バックアップ動作の障害時に、前記書込み装置へのデータの送信を中断するよう構成されたロジックと、
前記障害を引き起こした問題の解決を容易にするよう構成されたロジックと、
前記書込み媒体に以前に書き込まれたデータを送信するよう構成されたロジック
を備える、システム。
【請求項２】
解決を容易にするよう構成された前記ロジックは、第１の書込み媒体を新たな書込み媒体に自動的に取り替えるよう構成されたロジックを備え、前記システムは、前記第１の書込み媒体に以前に書き込まれたデータを、前記冗長記憶装置の前記データ記憶装置から前記新たな書込み媒体に送信するよう構成されたロジックをさらに備える、請求項１のシステム。
【請求項３】
解決を容易にするよう構成された前記ロジックは、前記書込み媒体の自動的な取り外しを容易にするよう構成されたロジックと、前記書込み装置のクリーニングを容易にするよう構成されたロジックと、前記書込み媒体の自動的な取り替えを容易にするよう構成されたロジックを備え、前記システムは、前記一次バックアップ装置へのデータの送信を再開するよう構成されたロジックをさらに備える、請求項１のシステム。
【請求項４】
解決を容易にするよう構成された前記ロジックは、前記書込み装置からの前記書込み媒体の自動的な取り外しを容易にするよう構成されたロジックと、予備の書込み装置への前記書込み媒体の自動的な配置を容易にするよう構成されたロジックを備え、前記システムは、前記書込み媒体が前記予備の書込み装置へと移動されつつある間に、前記冗長バックアップ装置の前記データ記憶装置によってキャッシュされたデータを前記書込み媒体に送信するよう構成されたロジックをさらに備える、請求項１のシステム。
【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
就業データを入力する端末、前記就業データが蓄積されたデータベース、およびサーバを有する就業データ管理システムであって、
前記端末、前記データベースおよび前記サーバは、ネットワークに接続されており、
前記サーバは、ＷｅｂサーバおよびＷｅｂアプリケーションから構成され、
前記データベースは、従業員データマスター、振替出勤マスター、部署マスター、職種マスター、就業データ一覧マスター、就業管理部門マスター、有休マスターおよび会社休日マスターの少なくとも一つを有しており、
前記端末で入力されたデータと前記データベースに蓄積されたデータとの整合性を前記Ｗｅｂアプリケーションにおいて確認、かつ承認し、前記承認されたデータをデータベースに格納することを特徴とする就業データ管理システム。
【請求項２】
請求項１において、前記端末への就業データの入力は、Ｗｅｂブラウザを有しているパーソナルコンピューターのいずれを用いても行うことができることを特徴とする就業データ管理システム。
【請求項３】
請求項１又は２において、前記ネットワークは、ＬＡＮ（Local Area Network）または、ＷＡＮ（Wide Area Network）であることを特徴とする就業データ管理システム。
【請求項４】
請求項１乃至３のいずれか一において、前記端末はにおいて、前記就業データの入力、および前記入力された就業データの参照を行うことができることを特徴とする就業データ管理システム。
【請求項５】
ネットワークに接続された端末から、User IDおよびパスワードを入力する第１ステップと、
前記User IDおよびパスワードで、データベースに蓄積されたデータから従業員の特定を行い、前記従業員の操作可能な処理内容の承認を行う第２ステップと、
入力された就業データと、前記データベースに蓄積された就業データとの整合性を、Ｗｅｂアプリケーションにおいて確認する第３ステップと、
前記確認により承認可能と判断した場合、前記就業データを就業データ一覧マスターに格納する第４ステップと、
を含むことを特徴とする就業データ管理方法。
【請求項６】
ネットワークに接続された端末から、User IDおよびパスワードを入力する第１ステップと、
前記User IDおよびパスワードで、データベースに蓄積されたデータから従業員の特定を行い、前記従業員の操作可能な処理内容の承認を行う第２ステップと、
入力された就業データと、前記データベースに蓄積された就業データとの整合性を、Ｗｅｂアプリケーションにおいて確認する第３ステップと、
前記確認により承認可能と判断した場合、前記就業データを就業データ一覧マスターに格納する第４ステップと、
承認権限処理操作が完了した就業データを就業データ一覧マスターに格納する第５ステップと、
を含むことを特徴とする就業データ管理方法。
【請求項７】
ネットワークに接続された端末から、User IDおよびパスワードを入力する第１ステップと、
前記User IDおよびパスワードで、前記データベースに蓄積されたデータから従業員の特定を行い、前記従業員の操作可能な処理内容の承認を行う第２ステップと、
入力された就業データと、前記データベースに蓄積された就業データとの整合性を、Ｗｅｂアプリケーションにおいて確認する第３ステップと、
前記確認により承認可能と判断した場合、前記就業データを就業データ一覧マスターに格納する第４ステップと、
承認権限処理操作が完了した就業データを就業データ一覧マスターに格納する第５ステップと、
月末処理操作が完了したデータを就業管理部門マスターに格納する第６ステップと、
を含み、
前記第６ステップ後は、前記入力されたデータを変更できないように保護処理を行うこと特徴とする就業データ管理方法。
【請求項８】
ネットワークに接続された端末から、User IDおよびパスワードを入力する第１ステップと、
前記User IDおよびパスワードで、前記データベースに蓄積されたデータから従業員の特定を行い、前記従業員の操作可能な処理内容の承認を行う第２ステップと、
入力された就業データと、前記データベースに蓄積された就業データとの整合性を、Ｗｅｂアプリケーションにおいて確認する第３ステップと、
前記確認により承認可能と判断した場合、前記就業データを就業データ一覧マスターに格納する第４ステップと、
承認権限処理操作が完了した就業データを就業データ一覧マスターに格納する第５ステップと、
月末処理操作が完了したデータを就業管理部門マスターに格納する第６ステップと、
承認権限を有する者の月末承認権限処理操作が完了したデータを前記就業管理部門マスターに格納する第７ステップと、
を含み、
前記第６ステップと、前記第７ステップとの間において、前記入力されたデータを変更できないように保護処理を行い、且つ前記承認権限を有する者により、前記保護処理を解除することができる
ことを特徴とする就業データ管理方法。
【請求項９】
ネットワークに接続された端末から、User IDおよびパスワードを入力する第１ステップと、
前記User IDおよびパスワードで、前記データベースに蓄積されたデータから従業員の特定を行い、前記従業員の操作可能な処理内容の承認を行う第２ステップと、
入力された就業データと、前記データベースに蓄積された就業データとの整合性を、Ｗｅｂアプリケーションにおいて確認する第３ステップと、
前記確認により承認可能と判断した場合、前記就業データを就業データ一覧マスターに格納する第４ステップと、
承認権限処理操作が完了した就業データを就業データ一覧マスターに格納する第５ステップと、
月末処理操作が完了したデータを就業管理部門マスターに格納する第６ステップと、
承認権限を有する者の月末承認権限処理操作が完了したデータを前記就業管理部門マスターに格納する第７ステップと、
就業管理部門の月末承認権限処理操作が完了したデータを前記就業管理部門マスターに格納する第８ステップと、
最終保護処理操作が完了したデータを前記就業管理部門マスターに格納する第９ステップと、
を含むことを特徴とする就業データ管理方法。
【請求項１０】
請求項９において、
前記第９ステップ後は、前記就業管理部門マスターに格納されたデータを参照のみ行うことができることを特徴とする就業データ管理方法。
【請求項１１】
請求項８乃至１０のいずれか一において、
前記第６ステップと、前記第７ステップとの間において、前記端末に就業データの入力を促す画面を表示するステップを含むことを特徴とする就業データ管理方法。
【請求項１２】
請求項５乃至１１のいずれか一において、
前記第２ステップにおいて、就業データ入力処理の他に承認権限処理操作が可能と判断された従業員が入力するＷｅｂアプリケーションでは、承認権限を有する者専用の画面を表示させることを特徴とする就業データ管理方法。
【請求項１３】
請求項５乃至１２のいずれか一において、
前記第２ステップにおいて、承認権限処理操作および最終保護操作が可能と判断された従業員が入力するＷｅｂアプリケーションでは、就業管理部門専用の画面を表示させることを特徴とする就業データ管理方法。